(57)【要約】      （修正有）【課題】既存の支柱を利用しつつ揺れ（振動）を抑制可能とするテーブルを提供する。【解決手段】筒状の支柱２１と、その上端部に固定される天板１，１０と、支柱２１の下端部に固定される底板３，３Ａから構成される組立式のテーブルであって、支柱の外側には、支柱よりも径方向寸法の大きな筒状の補助支柱２２を嵌着し、その上，下両端部を天板及び底板に当接させることにより、天板及び底板との接触面を大きくするようにした。【選択図】図５
0003192190.tif 000002
【実用新案登録請求の範囲】
【請求項１】
筒状の支柱と、その上端部に固定される天板と、前記支柱の下端部に固定される底板から構成され、
前記天板及び底板の裏面側には固定部を固着するとともに、
前記支柱の上，下両端部には回動部を設け、
前記固定部の嵌合突起を前記回動部の嵌合穴に挿嵌すると同時に、前記回動部のロック棒を前記嵌合突起の底面に穿孔した横長な挿通穴に挿通して上方へ突出させ、この状態で前記支柱を締まる方向へ回動させることにより、前記挿通穴を挟んでそれぞれ相反する方向に緩やかに捩れて傾斜する嵌合突起底面の螺旋面に対して前記ロック棒を螺子の締め付け原理を利用して次第に締め付け、前記支柱と天板及び底板とを強固に結合・固定することにより組立てられるテーブルにおいて、
前記支柱の外側に、当該支柱よりも径方向寸法の大きな筒状の補助支柱を嵌着し、その上，下両端部に天板及び底板を当接させるようにしたことを特徴とするテーブル。
【請求項２】
前記補助支柱の上，下両端部の内周には、支柱を挿通可能な内径寸法を有する所定厚さの支持リングを固着するとともに、前記補助支柱の長さ寸法は支柱よりも若干短くしたことを特徴とする請求項１記載のテーブル。
【請求項３】
前記天板が矩形状であって、その裏面側には、中央部に固着された固定部から天板の角部へ向けて細長な帯状の板材からなる補強材を配設するようにしたことを特徴とする請求項１記載のテーブル。
【請求項４】
前記天板が矩形状であって、その裏面側には、中央部に固着された固定部を囲繞するように矩形状の板材からなる補強材を配設するとともに、前記矩形状の補強材から天板の各辺部へ向けて細長な帯状の板材からなる補強材を延設するようにしたことを特徴とする請求項１記載のテーブル。
【請求項５】
前記天板が矩形状であって、その裏面側には、中央部に固着された固定部を囲繞するように矩形状の板材からなる補強材を配設するとともに、前記矩形状の補強材から天板の角部へ向けて細長な帯状の板材からなる補強材を延設するようにしたことを特徴とする請求項１記載のテーブル。
【請求項６】
前記天板の裏面側には、前記固定部及び補強材の形状と合致する凹部を凹設し、当該凹部に固定部及び補強材を埋め込み、固着するようにしたことを特徴とする請求項３ないし５のいずれかに記載のテーブル。
【考案の詳細な説明】
【技術分野】
【０００１】
本考案は、支柱並びにその上，下両端部にワンタッチで着脱可能に固定される天板及び底板を備えた組立式のテーブルに係り、特に、使用時における揺れ（振動）を抑制することを可能としたテーブルに関する。
【背景技術】
【０００２】
従来から、着脱自在の脚あるいは支柱を備えたテーブルが知られており、前記テーブルにおける脚あるいは支柱の取付構造には数々の工夫がなされている。本件出願人は、先に、家具の脚取付構造について、不使用時には、家具本体からその脚部を簡単に取外せて、家具の保管・移動に便利であり、使用時には、極めて簡単かつ強固に脚部を取付けられるようにした、テーブル等の家具の脚取付構造に関する技術を提案している（特許文献１）。特許文献１記載の技術は、テーブル等の家具の脚部を、底板等の家具本体に着脱自在に取付ける為の構造であって、家具本体に固定させる基盤に、有底短筒状の嵌合突起を下向きに突設した固定部と、脚部の上端に設けられて、前記嵌合突起を緊密に挿嵌させる嵌合孔を備える被固定部とから成り、前記嵌合突起の底面には、筒の径方向に伸びるスリットを設けると共に、底面の上面は、前記スリットの両側端からそれぞれ筒周方向に上向きに緩やかに傾斜する斜面に形成し、前記嵌合孔の底部には、前記スリットに挿嵌させ得る形状を備えて、その上端に前記斜面に当接させる掛止部を設けた掛止部材を突設し、前記掛止部を前記スリットに挿通させたうえ、前記脚部をその軸周りに回動させると、前記掛止部が前記斜面を次第に締付けて、前記固定部と被固定部とが強固に係合される構成となっている。
【０００３】
また、本件出願人は、特許文献１記載の技術を利用して、支柱と天板及び底板とを迅速・容易に組立てあるいは分解可能としたテーブルを創作している（特許文献２）。以下、特許文献２記載のテーブルの構成について、図１０ないし図１２を参照しながら説明する。
図１０にテーブル１００の斜視図を示す。テーブル１００は、円筒状の支柱２と、その上端部に固定された天板１と、前記支柱２の下端部に固定された底板３から構成される。前記天板１及び底板３の裏面側には、図１２に示すように、固定部６が固着されている。前記固定部６は、図１１，１２に示すように、所定厚さの基盤６１と、前記基盤６１の中央において裏面側に凹んだ有底短筒状の嵌合突起６２と、前記嵌合突起６２の底面６３中央部に穿孔された横長な挿通穴６４から構成される。なお、前記嵌合突起６２の底面６３は、前記挿通穴６４を挟んでそれぞれ相反する方向、即ち、図１１に示す矢印Ｙ１，Ｙ２の方向にそれぞれ緩やかに捩れて傾斜しながら下降する螺旋面Ｓ１，Ｓ１となっている。
また、底板３の中央には、図１２（ｂ）で示すように、裏面側と連通する透孔３１が、支柱２よりも僅かに大きな径寸法で穿孔され、この透孔３１には底板３の裏面側に固定した基盤６１の嵌合突起６２が、僅かに底板３の表面（上面）側に突出する状態で臨んでいる。
なお、天板１の裏面に螺子等により固着される基盤６１は、図１１に示す如く平面形状が矩形状となっており、一方、底板３の裏面に溶接等により固着される基盤６１は、図１１には示していないが平面形状が円形状となっている。
【０００４】
一方、円筒管からなる支柱２の上，下の各端部には、図１１，１２で示すように、回動部７が形成されている。前記回動部７は、図１１，１２で示すように、支柱２の各端部から所定寸法だけ内側に入った位置において、内周面に対して直角に橋絡状に固着した所定厚さの渡し板７１と、前記支柱２の各端部と渡し板７１との間において形成され、基盤６１の嵌合突起６２が嵌合する嵌合穴７２と、前記渡し板７１の中央に立設したＴ字状のロック棒７３から構成される。
なお、前記ロック棒７３は、前記嵌合突起６２の底面６３に穿孔した横長な挿通穴６４に挿通される水平な係止棒７３１と、前記係止棒７３１の中央に垂直に固着した垂直棒７３２とによってＴ字状に構成され、前記垂直棒７３２の根元が前記渡し板７１の中央部に固着されている。
【０００５】
そして、支柱２の上端部へ天板１を取付けるに当っては、前記天板１の裏面側に固着した基盤６１の嵌合突起６２を、支柱２の上端部に設けた嵌合穴７２に挿嵌すると同時に、ロック棒７３の係止棒７３１を、嵌合突起６２の底面６３に穿孔した横長な挿通穴６４に挿通して螺旋面Ｓ１側へ突出させる。この状態で支柱２を締まる方向に回動させると、係止棒７３１は螺旋面Ｓ１に沿って摺動し、螺子の締め付け原理を利用して当該螺旋面Ｓ１に対して次第に締め付けられる結果、支柱２と天板１とが強固に結合・固定される（図１２（ａ）参照）。
一方、支柱２の下端部へ底板３を取付けるに当っては、支柱２の下端部を底板３の中央に穿孔した透孔３１に挿入することにより、前記底板３の裏面側に固着され、かつ、前記透孔３１に臨む基盤６１の嵌合突起６２を、前記支柱２の下端部に設けた嵌合穴７２に挿嵌すると同時に、ロック棒７３の係止棒７３１を、嵌合突起６２の底面６３に穿孔した横長な挿通穴６４に挿通して螺旋面Ｓ１側へ突出させる。この状態で支柱２を締まる方向に回動させると、係止棒７３１は螺旋面Ｓ１に沿って摺動し、螺子の締め付け原理を利用して当該螺旋面Ｓ１に対して次第に締め付けられる結果、支柱２と底板３とが強固に結合・固定される（図１２（ｂ）参照）。
【０００６】
なお、従来のテーブル１００においては、その用途に応じて、例えば図１３に示すように、同じ大きさの天板１に対して高さ（長さ）の異なる支柱２Ａや大きさの異なる底板３Ａを使用することが可能となっており、また、天板１も円形状のものだけではなく、図１４に示すような矩形状の天板１Ａを使用することが可能となっている。
【先行技術文献】
【特許文献】
【０００７】
【特許文献１】特許第３４７４２６５号公報
【特許文献２】意匠登録第１３１０６２８号公報
【考案の概要】
【考案が解決しようとする課題】
【０００８】
然るに、従来のテーブルにおいては、次のような問題点があった。即ち、従来のテーブルにおいては、前述したように、用途に応じて同じ大きさの天板に対して高さ（長さ）の異なる支柱、あるいは、大きさの異なる底板を使用したり、天板も円形状のものだけではなく矩形状のものを使用したりすることが可能であるが、例えば、円形状の天板と高い（長い）支柱と小径な底板とを組合せてテーブルを構成した場合、スッキリとした外観となる反面、バランスが悪く不安定で、揺れ（振動）が発生しやすいという問題があった。
また、天板の形状を矩形状とした場合、円形状の天板と比べて面積が大きくなる分、重量が増えて更に不安定さが増すため、角部に手を付くとテーブルが転倒するおそれがあるとともに、角部に水等の入ったコップを置いた際には、揺れ（振動）に伴って波打ちが生じ、場合によってはコップ内の水等が外に零れるおそれがあった。
テーブルの不安定さをなくすためには、支柱と天板及び底板との接触面を大きくすることが最も手っ取り早いが、接触面を大きくするためには支柱を太くする必要がある。従来のテーブルにおいては、支柱を底板に固定する際に、支柱の下端部を、底板の中央に穿孔した前記支柱よりも僅かに径大な透孔に挿入するとともに、前記底板の裏面側に固着され、かつ、前記透孔に臨む基盤の嵌合突起を、前記支柱の下端部に設けた嵌合穴に挿嵌するようにしているので、支柱の太さを既存の支柱よりも太いものに変更する場合には、変更後の支柱の太さに合わせた透孔及び嵌合突起を備えた底板を別に用意しなければならず、また、既存の支柱をそのまま利用することができない（即ち、既存の支柱が不要になる）という問題もあった。
【０００９】
本考案は前記種々の問題点に鑑み、既存の支柱を利用しつつ揺れ（振動）の抑制を可能とした組立式テーブルの提供を目的とする。
【課題を解決するための手段】
【００１０】
前記の課題を解決するために、本考案は、筒状の支柱と、その上端部に固定される天板と、前記支柱の下端部に固定される底板から構成され、前記天板及び底板の裏面側には固定部を固着するとともに、前記支柱の上，下両端部には回動部を設け、前記固定部の嵌合突起を前記回動部の嵌合穴に挿嵌すると同時に、前記回動部のロック棒を前記嵌合突起の底面に穿孔した横長な挿通穴に挿通して上方へ突出させ、この状態で前記支柱を締まる方向へ回動させることにより、前記挿通穴を挟んでそれぞれ相反する方向に緩やかに捩れて傾斜する嵌合突起底面の螺旋面に対して前記ロック棒を螺子の締め付け原理を利用して次第に締め付け、前記支柱と天板及び底板とを強固に結合・固定することにより組立てられるテーブルにおいて、前記支柱の外側に、当該支柱よりも径方向寸法の大きな筒状の補助支柱を嵌着し、その上，下両端部に天板及び底板を当接させるようにした。
また、前記補助支柱の上，下両端部の内周には、支柱を挿通可能な内径寸法を有する所定厚さの支持リングを固着するとともに、前記補助支柱の長さ寸法は支柱よりも若干短くするとよい。
更に、矩形状の天板の裏面側には、その中央部に固着された固定部から天板の角部へ向けて細長な帯状の板材からなる補強材を配設するようにしてもよいし、前記固定部を囲繞するように矩形状の板材からなる補強材を配設するとともに、前記矩形状の補強材から天板の各辺部、あるいは、角部へ向けて細長な帯状の板材からなる補強材を延設するようにしてもよい。また、前記天板の裏面側には、前記固定部及び補強材の形状と合致する凹部を凹設し、当該凹部に固定部及び補強材を埋め込み、固着するようにしてもよい。
【考案の効果】
【００１１】
本考案の支柱構造によれば、支柱の外側に、これよりも径大な補助支柱を嵌着するという簡単な構成により、支柱と天板及び底板との接触面を増大させることができるので、既存の支柱を無駄にすることなく有効に利用して揺れ（振動）を抑制し、テーブルの安定性を向上させることが可能となる。
【００１２】
また、補助支柱の上，下両端部の内周に、支柱を挿通可能な内径寸法を有する支持リングを固着することにより、補助支柱を支柱の外側に嵌着した際のセンター出しが容易に行い得るとともに、天板を支柱に取付けるまでの間に補助支柱が径方向へ移動して、支柱に対し偏心状態となるのを防ぐことができる。しかも、経年の使用により支柱が多少変形しているようなことがあっても、支持リングの内周と支柱との間には若干の隙間が設けられているので、容易に補助支柱を嵌着することができる。
更に、補助支柱の長さ寸法を支柱の長さ寸法より若干短くすることで、補助支柱を支柱の外側に嵌着した時に、下端部は底板の表面に当接し、上端部は支柱の上端部と高さ位置が揃う状態となり、この後、支柱の上端部に天板を固定すると、補助支柱の上端部も同時に天板の裏面側に設けた固定部と当接する結果、天板及び底板と確実に当接して支持することができる。
【００１３】
更に、矩形状の天板の裏面側に各種補強材を配することにより、天板の角部における揺れ（振動）を抑制することが可能となり、前記支柱と天板及び底板との接触面の増大とも相まって、テーブル全体の揺れ（振動）を抑制して、安定性の向上を図ることができる。また、固定部及び補強材を、天板の裏面に凹設した凹部に埋め込んで固着することで、前記天板の裏面に凹凸（出っ張り）が生じるのを防ぐとともに、固定部や補強材を目立たなくすることができる。
【図面の簡単な説明】
【００１４】
【図１】本考案に係るテーブルを示す斜視図である。
【図２】本考案に係るテーブルを構成する主支柱に外嵌される補助支柱を示す斜視図である。
【図３】テーブルを構成する主支柱の外側に補助支柱を嵌着する状態を示す斜視図である。
【図４】主支柱の外側に補助支柱を嵌着した後、天板を取付ける状態を示す斜視図である。
【図５】支柱に天板及び底板を固定した状態を示す要部断面図である。
【図６】本考案に係るテーブルの他の実施形態を示す斜視図である。
【図７】他の実施形態のテーブルを構成する天板を裏返した状態を示す平面図である。
【図８】同じく、天板の他の実施形態を示す平面図である。
【図９】同じく、天板の更に他の実施形態を示す平面図である。
【図１０】従来の支柱を使用したテーブルの斜視図である。
【図１１】固定部と回動部とを分解して示す斜視図である。
【図１２】従来の支柱に天板及び底板を固定した状態を示す要部断面図である。
【図１３】従来のテーブルの他の実施形態を示す斜視図である。
【図１４】従来のテーブルの更に他の実施形態を示す斜視図である。
【考案を実施するための形態】
【００１５】
以下、本考案を実施するための形態について、図１ないし図９を参照しながら具体的に説明する。なお、本考案において、天板及び底板の裏面側に固着される固定部の構造及び支柱の上，下両端部に設けられる回動部の構造については従来技術と同様であるため説明を省略する。また、本考案において、図１０ないし図１４で示す従来技術と同一の構成部材については同一の符号を使用して説明する。
【００１６】
図１は本考案に係るテーブルの斜視図である。図２は本発明に係るテーブルを構成する主支柱に外嵌される補助支柱を示す斜視図である。図３は本発明に係るテーブルを構成する主支柱に補助支柱を外嵌する状態を示す斜視図である。図４は主支柱に補助支柱を外嵌した後、天板を取付ける状態を示す斜視図である。図５は支柱に天板及び底板を固定した状態を示す要部断面図である。図６は本考案に係るテーブルの他の実施形態を示す斜視図である。図７は他の実施形態のテーブルを構成する天板を裏返した状態を示す平面図である。図８は同じく天板の他の実施形態を示す平面図である。図９は同じく天板の更に他の実施形態を示す平面図である。
【００１７】
図１に本考案に係るテーブル１００Ａを示す。テーブル１００Ａは、円形状の天板１と、支柱２０と、底板３，３Ａからなる。本考案に係るテーブル１００Ａにおいて、支柱２０は、上，下両端部の内周面にそれぞれ回動部７を付設し、天板１及び底板３の裏面に設けた固定部６に固定される主支柱２１と、当該主支柱２１の外側に嵌着される補助支柱２２からなる二重構造となっている。なお、前記主支柱２１としては、従来技術における支柱２，２Ａを利用することができる。即ち、本考案に係るテーブル１００Ａの支柱２０は、従来技術における支柱２，２Ａの外側に、補助支柱２２を嵌着することにより構成できる。
【００１８】
図２に補助支柱２２を示す。補助支柱２２は主支柱２１よりも径大な円筒状であり、その上，下両端部の内周には、主支柱２１を挿通可能な内径寸法を有する所定厚さの支持リング２２ａが固着されている。前記支持リング２２ａは、金属製として補助支柱２２の端部内周に溶接するようにしてもよいし、樹脂製として補助支柱２２の端部内周に打込むようにしてもよい。この場合、支持リング２２ａを樹脂製とした方が補助支柱２２の重量を軽減することができる。
また、前記補助支柱２２の長さ寸法は、主支柱２１の長さ寸法よりも若干短く設定されている。これは、主支柱２１の下端部が、底板３，３Ａに設けた透孔３１内に所定寸法だけ挿入した状態で固定部６に固定されるのに対し、補助支柱２２は前記主支柱２１よりも径大で透孔３１内に挿入されないため、前記透孔３１内へ挿入される寸法の分だけ主支柱２１よりも短くされているものであり、主支柱２１の外側に補助支柱２２を嵌着した際に、補助支柱２２の下端部が底板３，３Ａの上面（表面）と当接し、かつ、上端部が主支柱２１の上端部と同じ高さ位置で揃うようになっている。
なお、補助支柱２２には、主支柱２１に径方向へ貫通する状態で設けた小穴２１ａ（図３参照）と合致する位置に、前記小穴２１ａと同様に径方向へ貫通する状態で小穴２２ｂが穿孔されている。また、補助支柱２２は、前述のように主支柱２１として従来技術における支柱２，２Ａが利用できることに伴い、各支柱２，２Ａの長さ寸法に対応するものを用意する。
【００１９】
図３ないし図５にテーブル１００Ａを組立てる状態を示す。テーブル１００Ａを組立てるに当っては、まず、主支柱２１を底板３，３Ａに取付ける。即ち、主支柱２１の下端部を、底板３，３Ａの中央に穿孔した透孔３１に挿入することにより、前記底板３，３Ａの裏面側に固着され、かつ、透孔３１に臨む基盤６１の嵌合突起６２を、前記主支柱２１の嵌合穴７２に挿嵌すると同時に、ロック棒７３の係止棒７３１を、嵌合突起６２の底面６３に穿孔した横長な挿通穴６４に挿通して螺旋面Ｓ１側へ突出させる。この状態で主支柱２１を締まる方向に回動させると、係止棒７３１は螺旋面Ｓ１に沿って摺動し、螺子の締め付け原理を利用して当該螺旋面Ｓ１に対して次第に締め付けられる結果、主支柱２１と底板３，３Ａとが強固に結合・固定される（図５（ｂ）参照）。
【００２０】
つづいて、前記のようにして底板３，３Ａに固定した主支柱２１の外側に、図３に示す如く補助支柱２２を嵌着し、二重構造の支柱２０を構成する。即ち、補助支柱２２を主支柱２１の上方から、当該主支柱２１の外側に支持リング２２ａを介して嵌着し、下端部を底板３，３Ａの上面（表面）に当接させる。この際、支持リング２２ａの内径寸法は、主支柱２１を挿通可能な大きさとなっているため、補助支柱２２を主支柱２１に対して円滑に嵌着することができる。また、主支柱２１と支持リング２２ａの内周との間には若干の隙間が生じているだけであるため、補助支柱２２のセンター出しが容易に行い得、補助支柱２２が主支柱２１に対して偏心状態で嵌着されるのを抑制することができるとともに、天板１を主支柱２１の上端部に取付けるまでの間に補助支柱２２が径方向へ移動して、主支柱２１に対し偏心状態となるのを抑制することができる。なお、主支柱２１の外側に補助支柱２２を嵌着するに当たり、前記主支柱２１に穿孔した小穴２１ａの位置と、補助支柱２２に穿孔した小穴２２ｂの位置とを、予め合致させた状態としておくとよい。
【００２１】
前記のように主支柱２１の外側に補助支柱２２を嵌着して二重構造の支柱２０を構成した後、図４に示す如く前記支柱２０を構成する主支柱２１の上端部に円形状の天板１を固定する。即ち、前記天板１の裏面側に固着した基盤６１の嵌合突起６２を、主支柱２１の上端部の嵌合穴７２に挿嵌すると同時に、ロック棒７３の係止棒７３１を、嵌合突起６２の底面６３に穿孔した横長な挿通穴６４に挿通して螺旋面Ｓ１側へ突出させる。この状態で天板１を締まる方向に回動させると、係止棒７３１は螺旋面Ｓ１に沿って摺動し、螺子の締め付け原理を利用して当該螺旋面Ｓ１に対して次第に締め付けられる結果、主支柱２１と天板１とが強固に結合・固定される（図５（ａ）参照）。この際、補助支柱２２の上端部は主支柱２１の上端部と高さ位置が揃うようになっているので、前記補助支柱２２の上端部も主支柱２１と同様に天板１の裏面（固定部６）に当接する。
なお、主支柱２１の上端部に天板１を取付けるに当たり、前記天板１を締まる方向に回動させることにより主支柱２１の外側に嵌着した補助支柱２２が、当該主支柱２１の周りを回動し、前記主支柱２１及び補助支柱２２に穿孔した各小穴２１ａ，２２ｂの位置がズレるのを防ぐために、予め前記各小穴２１ａ，２２ｂの位置を合致させた状態で、前記各小穴２１ａ，２２ｂに跨るようにしてドライバーや細い棒等を差し込んでおくようにしてもよい。
【００２２】
以上のように、主支柱２１の下端部に底板３，３Ａを固定するとともに、前記主支柱２１の外側に補助支柱２２を嵌着して二重構造の支柱２０を構成し、この後、前記支柱２０を構成する主支柱２１の上端部に天板１を固定することにより、図１に示すテーブル１００Ａが構成される。
なお、テーブル１００Ａを組立てるに当っては、前記とは逆に、天板１を裏返した状態で、主支柱２１の上端部を前記天板１に固定するとともに、前記主支柱２１の外側に補助支柱２２を嵌着して二重構造の支柱２０を構成し、この後、前記支柱２０を構成する主支柱２１の下端部に底板３，３Ａを固定するようにしてもよい。
【００２３】
以上のように組立てられた本考案のテーブル１００Ａにおいては、従来技術における支柱２，２Ａとしても使用される主支柱２１の外側に、これよりも径大な補助支柱２２を嵌着するという簡単な構成により、支柱２０と天板１及び底板３，３Ａとの接触面を増大させることができるので、既存の支柱を無駄にすることなく有効に利用して揺れ（振動）を抑制し、テーブル１００Ａの安定性を向上させることが可能となる。
また、補助支柱２２の上，下両端部の内周には、主支柱２１を挿通可能な内径寸法を有する支持リング２２ａが固着されているので、補助支柱２２を主支柱２１の外側に嵌着した際のセンター出しが容易に行い得るとともに、天板１を主支柱２１に取付けるまでの間に補助支柱２２が径方向へ移動して、主支柱２１に対し偏心状態となるのを防ぐことができる。しかも、経年の使用により主支柱２１が多少変形しているようなことがあっても、支持リング２２ａの内周と主支柱２１との間には若干の隙間が設けられているので、容易に補助支柱２２を嵌着することができる。
更に、補助支柱２２の長さ寸法は、主支柱２１の長さ寸法より若干短くしてあるので、主支柱２１の外側に嵌着した時に、下端部は底板３，３Ａの表面に当接し、上端部は主支柱２１の上端部と高さ位置が揃う状態となり、この後、主支柱２１の上端部に天板１を固定すると、補助支柱２２の上端部も同時に天板１の裏面に設けた固定部６と当接する結果、天板１及び底板３，３Ａと確実に当接して支持することができる。
【００２４】
なお、支柱２０から天板１及び底板３，３Ａを取外す場合は、例えば図１に示す状態で、前記支柱２０を構成する主支柱２１及び補助支柱２２の各小穴２１ａ，２２ｂの位置を予め合致させ、かつ、前記各小穴２１ａ，２２ｂに跨るようにしてドライバーや細い棒等を挿入して、前記補助支柱２２が主支柱２１に対して空転するのを防ぐとともに、天板１を緩む方向へ回動させる。これにより天板１側において係止棒７３１と螺旋面Ｓ１との締め付けが解除されるとともに、前記係止棒７３１が横長な挿通穴６４と合致する位置まで回動すると、支柱２０（主支柱２１）と基盤６１とのロック状態が解除される結果、前記天板１を支柱２０から容易に取外すことができる。
つづいて、各支柱２１，２２の小穴２１ａ，２２ｂに跨るようにして挿入されているドライバーや細い棒等を一旦抜取るとともに、主支柱２１の外側から補助支柱２２を取外す。この後、主支柱２１の小穴２１ａに再度ドライバーや細い棒等を挿入するとともに、底板３，３Ａを押え付けた状態で主支柱２１を緩む方向へ回動させることにより、底板３，３Ａ側においても主支柱２１と基盤６１とのロック状態が解除される結果、前記底板３，３Ａを主支柱２１から容易に取外すことができる。
【００２５】
図６に本考案に係るテーブルの他の実施形態を示す。図６に示すテーブル１００Ａは、円形状の天板１を使用する代わりに矩形状の天板１０を使用するようにしたものであり、その組立て等に関しては、前述した円形状の天板１を使用した場合と同様であるため、詳細な説明は省略する。前記円形状の天板１を使用した場合と異なるのは、前記矩形状の天板１０の角部に水等の入ったコップを置いた時に、揺れ（振動）に伴って波打ちが発生するのを防ぐための対策を講じるようにした点にある。
図７ないし図９に前記対策を講じた矩形状の天板１０を示す。即ち、図７に示す天板１０においては、その裏面に固定される固定部６の各辺部から天板１０の角部へ向けて細長な帯状の板材からなる補強材１１が配設されている。
図８に示す天板１０においては、その裏面に固定される固定部６を囲繞するように矩形状の板材からなる補強材１２を配設するとともに、前記矩形状の補強材１２の各辺部から天板１０の各辺部へ向けて細長な帯状の板材からなる補強材１１が延設されている。
図９に示す天板１０においては、その裏面に固定される固定部６を囲繞するように矩形状の板材からなる補強材１２を配設するとともに、前記矩形状の補強材１２の各辺部から天板１０の角部へ向けて細長な帯状の板材からなる補強材１１が延設されている。
なお、前記固定部６及び各補強材１１，１２は、天板１０の裏面に当該固定部６及び各補強材１１，１２と合致する形状で凹設した凹部１３に埋め込まれ、ねじ等を用いて固定されている。
【００２６】
このように、本考案に係るテーブル１００Ａに使用される矩形状の天板１０においては、当該天板１０の裏面に各種補強材１１，１２を配することにより、天板１０の角部における揺れ（振動）を抑制することが可能となり、前記支柱２０と天板１０及び底板３との接触面の増大とも相まって、テーブル１００Ａ全体の揺れ（振動）を抑制して、安定性の向上を図ることができる。
また、固定部６及び補強材１１，１２を、天板１０の裏面に凹設した凹部１３に埋め込んで固定することにより、天板１０の裏面に凹凸（出っ張り）が生じるのを防ぐとともに、固定部６及び補強材１１，１２を目立たなくすることができる。
【００２７】
ここで、本考案に係るテーブル１００Ａの製品仕様の一例を示す。まず、円形状の天板１は例えば直径９００ｍｍ、矩形状の天板１０は例えば９００ｍｍ四方としている。また、従来技術における支柱２，２Ａでもある主支柱２１の外径寸法は例えば６０．５ｍｍ、長さは例えば９５５ｍｍ（支柱２に相当）または６５５ｍｍ（支柱２Ａに相当）としている。更に、主支柱２１の外側に嵌着される補助支柱２２の内径寸法は例えば７３．１ｍｍ、外径寸法は例えば７６．３ｍｍ、長さは例えば９５１ｍｍ（９５５ｍｍの主支柱２１（支柱２）に対応）または６５１ｍｍ（６５５ｍｍの主支柱２１（支柱２Ａ）に対応）とし、補助支柱２２の端部内周面に固着される支持リング２２ａの内径寸法は例えば６２．３ｍｍ、外径寸法は例えば７３．１ｍｍ、長さは例えば４０ｍｍとしている。また、底板３，３Ａの直径は例えば６４０ｍｍ（底板３に相当）または５００ｍｍ（底板３Ａに相当）としている。
前記の例で示すテーブル１００Ａにおいては、主支柱２１の外側に補助支柱２２を嵌着して二重構造の支柱２０を構成することにより、従来技術における支柱２，２Ａでもある主支柱２１の外形寸法に比べ前記支柱２０の外径寸法を約１６ｍｍ太くすることができるので、その分だけ天板１，１０及び底板３，３Ａとの接触面が増大し、テーブル１００Ａの安定性を向上させることができる。なお、前記の数値はあくまでも一例であり、この数値に限定されるものではない。
【００２８】
なお、本考案において、補助支柱の形状は円筒状に限定することなく、多角形状であってもよい。この場合、上，下両端部の内周に固着される支持リングの形状は、補助支柱と内接する円形状であってもよいし、外周側を補助支柱と同様の多角形状とし、内周側を主支柱と同じ円形状とするようにしてもよい。
また、天板及び底板に設けられる固定部の構造は、図１１に示す構造に限らず、本件出願人が先に出願した特開２０１０−１７８７７１号公報、特開２０１２−１６５８５４号公報及び特開２０１３−２５６９９７号公報に記載された構造を採用するようにしてもよく、更に、主支柱の上，下両端部に設けられる回動部の構造は、図１１，１２に示す構造に限らず、本件出願人が先に出願した特開２０１４−８８９０１号に記載された構造、あるいは、出願公開前の特願２０１４−８５１３３号に記載された構造を採用するようにしてもよい。
【符号の説明】
【００２９】
１００Ａ  テーブル
１，１０  天板
１１，１２  補強材
１３  凹部
２０  支柱
２１  主支柱
２２  補助支柱
２２ａ  支持リング
３，３Ａ  底板
３１  透孔
６  固定部
６１  基盤
６２  嵌合突起
６３  底面
６４  挿通穴
７  回動部
７１  渡し板
７２  嵌合穴
７３  ロック棒
７３１ 係止棒
７３２ 垂直棒
Ｓ１  螺旋面
【図１】
0003192190.tif 000003
【図２】
0003192190.tif 000004
【図３】
0003192190.tif 000005
【図４】
0003192190.tif 000006
【図５】
0003192190.tif 000007
【図６】
0003192190.tif 000008
【図７】
0003192190.tif 000009
【図８】
0003192190.tif 000010
【図９】
0003192190.tif 000011
【図１０】
0003192190.tif 000012
【図１１】
0003192190.tif 000013
【図１２】
0003192190.tif 000014
【図１３】
0003192190.tif 000015
【図１４】
0003192190.tif 000016